(57)【特許請求の範囲】
【請求項１】
露光強度および照射位置が可変の少なくとも１つの制御可能な光源（ＬＥＤ）を用いてマクロ帯電ゾーンを発生させる電子写真処理方法であって、トナーアプリケータ（Ｅ）によってマクロ帯電ゾーンをインキングし、印刷または複写機械の光導電体（Ｆ）上に可調整の輪郭を持つインキング限界によってマクロ帯電ゾーンの境界を定めるようにした電子写真処理方法において、
ａ）光源（ＬＥＤ）の露光強度（Ｈ）および光導電体（Ｆ）上のビーム（照射）位置を制御することによって、そして光導電体（Ｆ）とトナーアプリケータ（Ｅ）との間に加えられることが出来るバイアス電圧（ＵＢ）を制御することによって、インキング限界（ＥＧ）によって境界を定められるマクロ帯電ゾーンを形成するために、露光強度に依存するサイズを持つ個々の隣接マイクロ帯電ゾーン（ＵＭ）で作られる静電電位レリーフ（ＵＲ）が光導電体（Ｆ）上に発生され、そしてインキング限界（ＥＧ）が規定され、その輪郭が電位レリーフ（ＵＲ）上のバイアス電圧レベル（ＵＢ）によって規定され、
ｂ）光導電体（ＵＦ）上のマイクロ帯電ゾーン（ＵＭ）毎の光源（ＬＥＤ）によって送出される光は、露光強度の高い中心（Ａ）から外側にかけて露光強度Ｈが一様に降下するように選定された露光強度分布を持ち、
ｃ）その露光強度分布曲線が光導電体（Ｆ）上でオーバーラップする光源（ＬＥＤ）によって、マクロ帯電ゾーン（ＵＲ）の形成のために用いられるマイクロ帯電ゾーン（ＵＭ）が発生される、
ことを特徴とする、電子写真処理方法。
【請求項２】
ハーフトーンイメージの領域を表現するために、グレー段階に割り当てられたインキング領域（ＲＰ）を持つマクロピクセル（ＭＡＫ）のマトリクスが用いられ、その領域の大きさは人間の眼の統合範囲内に存在し、そして各マクロピクセル（ＭＩＫ）は、マイクロピクセル（ＭＡＫ）のマトリクスから構成され、そしてここにおいてインキング限界（ＥＧ）によって境界を定められるマクロ帯電ゾーン（ＵＲ）が、このインキング領域（ＲＰ）を用いて各マクロピクセル（ＭＡＫ）に関して光導電体（Ｆ）上に発生され、前記マクロ帯電ゾーンはマイクロピクセル（ＭＩＫ）に割り当てられた隣接するマイクロ帯電ゾーン（ＵＭ）で構成されるような、請求項１に記載の電子写真処理方法。
【請求項３】
光源（ＬＥＤ）が錘形および／または釣り鐘形露光分布曲線を持つような、請求項１に記載の電子写真処理方法。
【請求項４】
光源（ＬＥＤ）の露光曲線のオーバーラップの寸法に関して、
ａ）最小オーバーラップの場合、
ｆuは１よりも大きく、
ｂ）最大オーバーラップの場合、
ｆu＝４から１０
が成り立ち、
ここでオーバーラップファクタｆuはマトリクス寸法ｄrへの光のスポットのマトリクスエネルギー密度の１２．５％における光のスポットの直径ｄの比として規定され、
ｆu＝ｄ／ｄｒ
ここでマトリクス寸法ｄrは光源（ＬＥＤ）と関係する光の２つの接近したスポットの中心の分離に相当する、請求項１または３に記載の電子写真処理方法。
【請求項５】
電位レリーフ（ＵＲ）を安定化させるために、
ａ）前もって決められた電位値（ＵＡ）に光導電体（Ｆ）を調節し、
ｂ）前もって決められる標準的な露光パターンで光導体（Ｆ）を露光し、
ｃ）標準的な露光パターンによって生じた実際の帯電電位（Ｕ）を検出し、
ｄ）実際の帯電電位を望ましい帯電電位（ＵＺ）と比較し、
ｅ）前もって決められら標準的な露光パターンで得られた露光から、望ましい帯電電位（ＵＺ）が光導体（Ｆ）上に生ずるような方法で、望ましいおよび実際の値の比較の関数として標準的な露光パターンを生じさせる光源（ＬＥＤ）の露光レベルを調節する、処理段階を持つような、請求項１から４の１つに記載の電子写真処理方法。
【請求項６】
電位レリーフ（ＵＲ）によるインキングを制御するために、
ａ）標準的な露光パターンを用い、そしてその実際の光学密度（濃度）の検出を行うことによって、光導電体（Ｆ）上にトナーマークを発生させ、
ｂ）実際の光学密度を望ましい密度に比較し、
ｃ）望ましいおよび実際の値の比較の関数として、トナー濃度（ＴＣ）およびバイアス電位（ＵＢ）のような現像処理のパラメータを調節し、そして望ましい光学密度（濃度）が発生するような方法でパラメータ（ＴＣ、ＵＢ）を制御する、処理段階を持つような、請求項１から５の１つに記載の電子写真処理方法
【請求項７】
電位レリーフ（ＵＲ）の安定化およびインキング制御のために、同じ露光および測定領域が用いられるような、請求項５または６に記載の処理方法。
【請求項８】
トナーアプリケータ（Ｅ）によってマイクロ帯電ゾーンをインキングし、印刷または複写機械の光導電体（Ｆ）上に可調整の輪郭を持つインキング限界によってマクロ帯電ゾーンの境界を定める形式の、マイクロ帯電ゾーンを発生させるための装置において、
マイクロ帯電ゾーンは隣接するマイクロ帯電ゾーンから構成されており、
前記装置は、
−露光強度（Ｈ）と光導電体（Ｆ）上での放射位置とが可調整である少なくとも１つの光源（ＬＥＤ）と、
−マクロ帯電ゾーンの光導電体上での大きさと場所とを特徴付けるデータ信号に応じて、サイズ可変の隣接するマイクロ帯電ゾーンを発生させることにより光導電体上に静電電位レリーフ（ＵＲ）を構成し、インキング限界（ＥＧ）を定めるための手段
を有しており、
前記少なくとも１つの光源（ＬＥＤ）は、露光強度の高い中心（Ａ）から外側にかけて露光強度が一様に降下するような露光強度分布を有しており、
前記インキング限界（ＥＧ）の輪郭は電位レリーフ（ＵＲ）上のバイアス電圧レベル（ＵＢ）により決定されるものであり、
前記手段は、
−光源（ＬＥＤ）に接続された露光強度を制御する光源制御装置（ＤＣ、ＤＡ）と、
−トナーアプリケータ（Ｅ）と光導電体（Ｆ）との間に調節可能な大きさのバイアス電圧（ＵＢ）を加えるためのバイアス電圧制御装置（ＢＩＡＳ）と、
−光源制御装置（ＤＣ、ＤＡ）および／またはバイアス電圧制御装置（ＢＩＡＳ）をデータ信号に依存して駆動することによりインキング限界（ＥＧ）を定める装置（ＤＡ、ＤＣ、ＤＶＡ）を有していることを特徴とする、マクロ帯電ゾーンを発生させるための装置。
【請求項９】
多数の個々に駆動可能な光源（ＬＥＤ）を持つ光学コームが光源（ＤＫ）として配置されるような、請求項８に記載の装置。
【請求項１０】
反射装置を通して位置決めされることが出来るレーザービームが光源（ＤＫ）として設けられるような、請求項８に記載の装置。
【請求項１１】
制御装置が電位レリーフを安定化させ、ここにおいて制御装置が、
−標準的な露光パターンを用いて、前もって決められた光導電体帯電電位（ＵＡ）および、前もって決められた電位置（ＵＡ）に調節された光導電体（Ｆ）を露光することにより光導電体上に発生された実際の帯電電位（Ｕ）のレベルを検出するための電位センサー（ＰＳ）と、
−帯電電位の望ましいおよび実際の値の比較の関数として前もって決められた光導電体帯電電位（ＵＡ）をセットし、および／または標準的な露光パターンによる露光の間に光導電体（Ｆ）上に望ましい帯電電位（ＵＺ）が生じるような方法で光源（ＬＥＤ）の露光レベルを制御する、電位センサー（ＰＳ）および光源制御装置（ＤＡ、ＤＣ）に結合された制御装置（ＰＳＲ）とを持つような、請求項８から１０の１つに記載の装置。
【請求項１２】
電位レリーフ（ＵＲ）のインキングを制御する装置を持ち、ここにおいてその装置が、
−標準的な露光パターンを用いて、光導電体（Ｆ）上に発生されたトナーマークの光学密度（Ｄ）を検出するための装置（ＤＳ）と、
−検出装置（ＤＳ）および、現像ステーション（Ｅ）、これは望ましい光学密度が生ずるような方法でトナー濃度（ＴＣ）およびバイアス電圧（ＵＢ）のような現像処理のパラメータを、トナーマークの光学的密度（Ｄ）の望ましいおよび実際の値の比較の関数として制御する、のユニットに結合されているインキング制御装置（ＥＲ）とを持つような、請求項８から１１の１つに記載の装置。
【請求項１３】
−光源（ＬＥＤ）に割り当てられた、そして光源を作動させるスイッチング素子（２０）と、
−スイッチング素子（２０）に結合されることが出来るクロック制御された計数装置（１８）と、
−各光源（ＬＥＤ）の露光強度（Ｈ）を特徴付けるデータワードを受け取るために、計数装置（１８）に結合されることが出来るメモリ（１６）と、そして
−光源（ＬＥＤ）を駆動するために、メモリ（１６）内に蓄積されているデータワードに従って計数装置（１８）のカウンタ状態をプリセットし、そして次に計数装置（１８）をクロックすることによりカウンタ状態に従ってスイッチング素子（２０）を通して光源（ＬＥＤ）を作動させる制御装置（１５）とを持つような、請求項８から１２の１つに記載の装置。
【請求項１４】
光源（ＬＥＤ）に割り当てられた、そして電流源（２０）によって生じられた励起電流（Ｉ）の関数として光源（ＬＥＤ）の露光レベルをセットする電圧制御される電流源（２０）を持つような、請求項８から１３の１つに記載の装置。
【請求項１５】
−光源安定化情報に割り当てられたデータワードを受け取るためにメモり（１６）に結合されることが出来るさらに別のメモリ装置（１７）と、
−電圧制御される電流源（２０）およびさらに別のメモリ装置（１７）に結合されることが出来る、そしてデータワードの関数として電流源（２０）のために駆動電圧（Ｖ）を発生させる電圧発生装置（１９）と、を持つような、請求項１３および１４に記載の装置。
【発明の詳細な説明】
【０００１】
本発明は、露光強度および照射位置が可変の少なくとも１つの制御可能な光源を用いてマクロ帯電ゾーンを発生させる電子写真処理方法であって、トナーアプリケータによってマクロ帯電ゾーンをインキングすることができ、かつ、印刷または複写機械の光導電体上に可調整の輪郭を持つインキング限界によってマクロ帯電ゾーンの境界を定めるようにした電子写真処理方法および装置に関する。
【０００２】
電子写真印刷装置においては、前もって決められたサイズの個別のインキングポイントを含むポイントマトリクスによって、キャラクタおよびハーフトーンイメージを表現することは以前から知られている。グレーのグラデーションは、例えばディザマトリクスまたは他のマトリクスの形式におけるマトリクス配置によって達成される。しかしこの型式のマトリクスは分解能およびグレーグラデーションの望ましくない関係および、印刷品質を達成する上で制限となるマトリクス輪郭を形成するリスクおよびモアレ模様を生じさせるという不都合を持っている。
【０００３】
米国特許第４８０９０２１号明細書から、強度またはレーザービームの直径を変化させることによって変更されたサイズのポイントを発生することにより印刷品質の向上を達成することが知られているとはいえ、ポイントの形状は前もって決めらてしまう。このマトリクスポイントの前もって決められた形状の結果として、前もって決められたポイントサイズと関連して、電子写真印刷装置を用いては今日に至るまで、ハーフトーンの表現に関して、そしてまたキャラクタおよび印刷された線の表現にも関してその両方のオフセット上の印刷品質を達成することは不可能であった。
【０００４】
このため、電子写真印刷装置において、ハーフトーンの表現およびキャラクタおよび印刷された線の両方に関して高い印刷品質を可能とする処理方法および装置を提供することが本発明の目的である。
【０００５】
精密に階級分けされたオフセット状マトリクス印刷が可能となるような処理方法および装置を設計することが本発明のさらに別の目的である。
【０００６】
この目的は、請求の範囲第１項から第９項までによって達成される。
【０００７】
本発明の改善的な実施例はサブクレームにおいて特徴づけられている。
【０００８】
ハーフトーンイメージのグレー値表現のためには、ハーフトーンイメージの領域がマクロピクセルに再分割され、そのサイズは人間の眼の統合範囲にある。一方、各マクロピクセルはマイクロピクセルに分解される。同様にキャラクタ領域もマイクロピクセルに分解され、各キャラクタは特定のマイクロピクセルセットによって実行される。電子写真印刷装置の手段によってキャラクタを発生するためには、印刷装置の光導電体が一様にチャージアップされ、そして続いてピクセル構造によって露光され、これがトナー沈積によって現像される。
【０００９】
準連続方法によって階級づけされることが出来るマクロピクセルインキングは、例えばマイクロピクセル毎に可変出来る光エネルギー発散（送出）を持つＬＥＤ（発光ダイオード）キャラクタジェネレータのような、マイクロピクセル毎にいくつかの明るさまたは露光値の階級付け（クラス分類）を可能とする露光装置によって、または強度の関数として制御されるレーザービームによって、マイクロピクセルを露光することによって達成される。マイクロピクセルの露光は各マクロピクセルに関して発生された電位トラフが存在するようにし、これが引き続く現像において規定されたインキングに導くような方法で制御される。電子写真印刷において主として用いられている、露光された光導電体個所の現像においては、その電位値が現像ステーションのバイアス電位よりも下にある電位値を持つ電位トラフ構造の比例部分はインキング限界を決めるバイアス電位でインキ付けられる。
【００１０】
操作される領域の完全なグレー値は、マクロピクセルにおけるトナーフリー領域へのトナーでカバーされる領域の比に相当するハーフトーン値によって決められる。それらの領域の形状は、人間の眼におけるグレー領域の印象に影響を持つように比例する。マクロピクセルにおけるマイクロピクセル露光強度の分布によって、オフセット印刷におけるスクリーンポイント形状の習慣もまた近似される。こうして、一方においては分解能およびグレー値階級付け（クラス分類）の理想的な関係が、そして他方ではまた眼によくなじむような適応が達成される。
【００１１】
マトリクス輪郭の形成と同様の方法で、キャラクタおよび線の輪郭が電位トターゲットとされる方法において補償されることが出来るような方法で実際に使用される電子写真処理の特別な再現特性に適用されることが出来る。それらは現像方向に平行なまたは横断する線および細線および太線および広い領域の比一様なインキングのような、隣接およびエッジ効果によって生ずるすべての濃度ひずみを含んでいる。
【００１２】
マクロピクセルにおけるマイクロピクセルの非対称の露光エネルギー分布によって、高い印刷速度の場合におけるマイクロピクセルの露光強度分布において発生するＸ−Ｙ非対称がファームウェアによって補償されることが出来る。こうして例えばＬＥＤコームを用いる場合におけるＬＥＤからの、同光源放射領域形状の場合における異なる印刷速度においても一様なマクロピクセル対称が達成される。
【００１３】
マトリクスグレー値の、およびキャラクタおよび線の輪郭の再現性は、マトリクス特性曲線制御に関連して高い特性曲線安定度を持つ光導電体および現像器を用いることによって達成される。電子写真処理の全体のグラデーションは、リプログラフィ材料のグラデーションと同様、十分に急激に設定される。
【００１４】
印刷マトリクスが用いられている場合の再現性を、そして印刷品質を特に補償するマトリクス特性曲線制御は、２つの制御コンポーネント、第１は静電電位レリーフを安定化させる制御コンポーネントであり、第２は電位レリーフにおけるインキング特性曲線を確実にする制御コンポーネントを含むことが望ましい。
【００１５】
本発明はあらゆる形状のハーフトーンイメージおよび線の準アナログ表現を可能とする。こうして、帯電ゾーンにインキングするトナー粒子のサイズだけが制限を設けるものとなる。
【００１６】
本発明の実施例は、図面に示され、そして例としてより詳細に説明される。図面としては、
第１図は関連する駆動装置を持つ電子写真印刷装置の概略図であり、
第２図は９つのマイクロピクセルからなるマクロピクセルの概略図であり、
第３図は３ビット露光グラデーションの場合における露光強度の関数としての光導電体上の放電電位を表す図であり、
第４図は３ビット露光グラデーションの場合における１つのマイクロピクセルに関する露光強度プロフィールを表す図であり、
第５図はIIIビット露光グラデーションの場合におけるマイクロピクセルに関する電位レリーフを表す図であり、
第６図および第７図は、種々の露光のマイクロピクセルによる電位トラフの発生の区分を表す図であり、
第８図は約１０％のハーフトーン値を持つマクロピクセルにおいて発生されることが出来るオフセット状マトリクス形状の概略図であり、
第９図は３５％のハーフトーンを持つ同じマクロピクセルにおいて発生されることが出来るオフセット状マトリクス形状の概略図であり、
第１０図は６０％のハーフトーン値を持つ同じマクロピクセルにおいて発生されることが出来るオフセット状マトリクス形状の概略図であり、
第１１図はＬＥＤコームに関するプリントヘッドドライバの概略ブロック回路図であり、
第１２図は第１１図のプリントヘッドドライバにおいて用いられるＩＣ−Ｂ（集積回路モジュール）の構成の概略図であり、
第１３図は現在の光導電体特性曲線への平均露光の適用による露光制御の概略図であり、そして
第１４図はインキング制御の概略的な４象限を表す図である。
【００１７】
基本的な検討
第１図に略示された電子写真印刷機は、電気モータによって駆動されることが出来る光導電体ドラムＦを含んでいる。光導電体ドラムＦの周りにグループ分けされているのは、電子写真処理のために必要なユニットであり、それらは露光装置ＤＫ、現像ステーションＥ、転写印刷ステーションＵＤＳ、クリーニングステーションＲ、および帯電装置Ｌである。電子写真処理においては、光導電体ドラムＦは帯電装置Ｌの助けによって約５００Ｖに一様に帯電され、そして露光装置ＤＫの助けによって次に放電され、約７０Ｖの領域に入り、そして隠れているキャラクタイメージがこうして発生される。この発生された隠れているイメージは、次にトナー粒子および強磁性のキャリア粒子の２つの成分の混合物の助けによって現像ステーションＥにおいて通常の方法でインキ付けられる。トナー粒子は摩擦電気的に正に帯電される。２２０Ｖのバイアス電位にある現像ローラーと約７０Ｖに放電された隠れたキャラクタイメージの領域との間において、電解が発生され、その結果としてトナー粒子が放電された領域によって取り上げられる。トナー粒子は約５００Ｖの帯電電圧を持つ非露光領域によってはねつけられる。こうしてトナーイメージが発生され、次に転写印刷ステーションＵＤＳにおいて通常の方法で記録用基板ＡＴ上に転写され、そして光導電体ドラムＦがクリーニングステーションＲにおいて付着していた残りのトナー粒子から自由になる。続いて、電子写真処理は、帯電ステーションＬを通して光導電体を帯電させることによって再び開始される。
【００１８】
光導電体ドラム上に投射されるその光エネルギーに関して調節可能に駆動することが出来るどのような光源も、露光装置ＤＫとして使用することが出来、例えばそれはレーザーであり、またはこの場合には第ＥＰ−Ｂ１−０  ２７５  ２５４号におけるその幾何学的構造を参照しながら説明されるように、ＬＥＤコームであっても良い。
【００１９】
露光装置によって発散される光エネルギーは、光導電体ドラム表面上の放電処理に関して明らかになる。こうして、光源としてＬＥＤが使用される場合においてはスイッチオン時間を変化させることによって、または励起電流によって、またはそれらの組み合わせによって、発散される光エネルギーを制御することが可能である。
【００２０】
個々に駆動されることが出来るＬＥＤを持つＬＥＤキャラクタジェネレータは、個々のＬＥＤに関して近似的に錐形放射特性を持っている。このことは、一方では近似的に円形に構成されたＬＥＤ構造によって、そして他方ではＬＥＤと光導電体ドラムの間に配置されたＬＥＤ光の点を光導電体ドラム上に点の形状に結像させる焦点用光学装置によって行われる。照明された点にわたるこの錘形の光強度分布の結果として、光導電体ドラムの露光の間に、相応する錘形の放電構造を得ることになり、これは電位トラフとして以下の文中において説明される。複数のＬＥＤがそのような電位トラフの形成に関与するならば、個々の隣接放電ゾーンから成る電位レリーフが生じる。しかし、この装置においては、例えばもし光導電体ドラムの特定のゾーンが連続的に異なるロケーションにおいて露光されるならば、この電位レリーフはまた単独の光源を用いて発生することが可能であるということに注目すべきである。光導電体ドラム上の露光のロケーションが、一方では移動する光導電体ドラムの場合には励起の瞬間によって、そしてＬＥＤコーム上の個々のＬＥＤの位置によって決められる。同じことは、反射装置を通して反射されるレーザービームに関しても真実である。
【００２１】
トナーでインキ付けされることが出来る光導電体上のインキングの程度およびエリアのサイズに関する決定は、これが電位レリーフにおけるインキング限界を決定するものであるため、発生される電位レリーフおよび加えられるバイアス電圧の形式で行われる。こうして、光源の光エネルギーおよび光導電体上の放射位置を制御することによって、そして光導電体とトナーアプリケータ（現像ステーションＥ）との間に加えられるバイアス電圧を制御することによって、光エネルギーに依存するサイズの静電電位レリーフが光導電体上に発生され、そしてインキング限界が規定され、その輪郭は電位レリーフ上のバイアス電圧レベルによって決められる。本発明が成立する、この原理はさらに詳細に説明される。
【００２２】
ハーフトーンイメージの領域を表現するために、その領域はマクロピクセルＭＡＫ（第２図）のマトリクスに分解され、そのサイズは人間の眼には統合されたものと認識される範囲に存在する。一方、各マクロピクセルＭＡＫはマイクロピクセルＭＩＫに再分割され、その結果この実施例ではマクロピクセルＭＡＫは３×３＝９マイクロピクセルから構成されるように表現されている。キャラクタ領域もまた、マイクロピクセルに再分割され、各キャラクタは特定のマイクロピクセルセットによって実行される。第２図に描かれた実施例においては、マイクロピクセルの発生は、約４０μ×４０μのマイクロピクセルサイズを持つ６００ｄｐｉのＬＥＤキャラクタジェネレータの助けを得て実行される。ここから、１２０μ×１２０μのマクロピクセルサイズが得られ、これはエッジ方向においては１ミリメートルあたり８．２マトリクスポイントに相当する。この装置においては、ＬＥＤの形状の光源は改善的に各マイクロピクセルに割り当てられられる。一般的には、キャラクタを形成するために光導電体Ｆが一様に帯電され、そして引き続いてピクセル構造を持って露光され、これがトナー沈積によって現像される。準連続的な方法で階級付けされることが出来るマクロピクセルインキングを発生させるため、またマイクロピクセルＭＩＫの露光は露光装置ＡＫによって実施され、これはマイクロピクセル毎にいくつかの明るさまたは露光値の階級を可能とするものであり、示されている実施例に関してはマイクロピクセル毎に変化することが出来る光エネルギー発散を持つＬＥＤキャラクタジェネレータの助けによってまたはその強度において制御可能なレーザービームの助けを得て行われる。この装置におけるマイクロピクセルの露光は、各マクロピクセルに関して電位トラフが引き続く現像において規定されたインキングに導くように発生されるという方法で制御される。この場合にはその電位値が現像ステーションのバイアス電位よりも下にある電位トラフ構造の領域コンポーネントがインキ付けされる。
【００２３】
操作される領域の全体のグレー値は、普通ハーフトーン値φによって決められ、これはマクロピクセルにおけるトナーフリー領域へのトナーによってカバーされる領域の比に相当する。それらの領域のコンポーネントの形状もまた、人間の眼におけるグレー領域の印象への影響を持っている。
【００２４】
マクロピクセルにおけるマイクロピクセル露光強度の分布によって、オフセット印刷におけるマトリクスポイント形状が習慣的に近似されることが出来、そして一方では分解能とグレー値グラデーションの理想的な関係が、そして他方では眼が見ることになじむための適応が達成される。マトリクス輪郭の形成と同様の方法で、この装置においてはキャラクタおよび線の輪郭が電位トラフ構造の構成および現像ステーションのバイアス電位レベルとの交点のその平面によって形成される。
【００２５】
それらの構造を発生させるために、露光装置ＤＫの光源は、それらが発散出来る光エネルギーに関して多数の段階で駆動されることが出来るようにされる必要がある。３ビットデータワードを通して符号化されることが出来る８段階露光グラデーションは、十分なものである。種々の露光段階と相応して露光された領域の結果としての電位値との間の関係が第３図に示されている。この場合には、第３図は特定の光導電体材料を持つ光導電体ドラムの特性曲線の形状を示している。値Ｈ１からＨ７は露光強度、すなわち領域毎の光源（ＬＥＤ）によって発散される光エネルギーを示しており、例えば、（マイクロジュール／ｃｍ2）の次元で表されており、値Ｕ１からＵ７は帯電電位ＵＡおよびバイアス電圧レベルＵＢから開始した、露光後の電圧における光導電体Ｆ上の結果的な電位レベルを表している。
【００２６】
既に説明されたように、開始時点においては、ＬＥＤ光源およびレーザービームは近似的にコーン（錘）形状の光強度分布を持っている。しかし、曲線の形状は露光段階と共に、そしてそのため光エネルギーと共に変化する。距離Ｘに沿った強度分布、およびそのため第３図による３ビット露光グラデーションの場合における露光強度プロフィールは、第４図に示されている。
【００２７】
露光強度プロフィールＨ０からＨ７を持つ８段階の露光は、第５図の表現に相当する電位レリーフ構造に導く。強度Ｈ１を持つマイクロピクセルの露光はこうして、相当する電位経過を持つ電位トラフＵ１に導く。相当する方法によって、露光段階Ｈ２からＨ７は、電位経過Ｕ２からＵ７に割り当てられる。
【００２８】
前もって決められた形状のマクロピクセルＭＡＫ（第３図）を発生させるため、マイクロピクセルＭＩＫの露光（露光コーンＵＭ）は、第６図および第７図のように、各マクロピクセルＭＡＫに関して結果的に電位トラフＵＲ、これはトナーでインキ付けされる、を発生させるように制御される。マクロピクセルＭＡＫにおける結果的な電位トラフＵＲの形状は、露光強度分布Ｈに、そしてその結果関係するマイクロピクセル露光コーンＵＭの光エネルギーに依存する。インキング限界ＥＧの輪郭、すなわちトナーが沈積（堆積する）ゾーン、はマクロピクセルＭＡＫにおけるバイアス電圧ＵＢと結果的な電位トラフＵＲとの間の交差線によって決められる。このことは、マクロ帯電ゾーンＵＲのインキング限界ＥＧが個々の隣接マイクロ帯電ゾーンＵＭで作られる静電電位レリーフＵＲ上のバイアス電圧レベルＵＢの輪郭によって決められることを意味している。この場合には、ＡＤはインキ付けられる領域の限界線上の２つの対向する点の分離を表している。
【００２９】
第６図および第７図から理解できるように、インキング限界ＥＧの輪郭は、そしてそのためマクロピクセルＭＡＫにおいて発生されるインキング構造の輪郭は、マイクロピクセル露光錘ＵＭを覆うマクロピクセルＭＡＫにおける結果的な電位トラフＵＲを発生させることによって規定され、前記トラフは前もって決められた帯電電位ＵＡおよび前もって決められたバイアス電位ＵＢにおけるインキング構造に相当する。同様に、マクロピクセルにおける生成電位トラフの前もって決められた電位レリーフＵＲの場合においては、バイアス電圧ＵＢはインキング限界ＥＧを規定するために変化されることが可能である。両方の処理の組み合わせもまた可能である。
【００３０】
隣接するマイクロピクセル露光錘ＵＭを通して、結果的な電位トラフＵＲが理想的な方法で発生されるようにするため、一方では、露光強度の高いセンターＡ（第４図）から外側にかけて（Ｘ，−Ｘ）強度Ｈが一様に降下するような露光強度分布が必要であり、他方では隣接マイクロピクセル露光コーン（錘）ＵＭの十分なオーバーラップが必要である。この装置においては、オーバーラップファクタｆUｕがオーバーラップの実行のために用いられることが出来、前記ファクタは最大ピクセルエネルギー密度（照明ポイントのエネルギー密度）の１２．５％におけるピクセル直径ｄ（照明ポイントの直径）の、基本マトリクス寸法ｄｒへの比として規定される。この場合における基本マトリクス寸法は、２つのピクセルまたは照明ポイントのセンターの分離を表しており、
ｆU＝ｄ／ｄｒ
最小オーバーラップは、１よりも大きなｆuにおいて存在すると意図されている。オーバーラップの上限は、ｆu＝４およびそれ以上において存在することができる。実際の上限は印刷されるべき最も小さな寸法に関するキャラクタジェネレータ分解能の関係に依存する。６００ドット／インチの分解能および０．１ｍｍの印刷されるべき最小ポイント直径を持つキャラクタジェネレータに関しては、約ｆu＝４までのオーバーラップが可能である。
【００３１】
電位レリーフＵＲおよびバイアス電圧ＵＢを変化させることにより、そしてそのためインキング限界ＥＧを規定することにより、どのような望ましいインキ付けられる輪郭もマクロピクセルＭＡＫの中に発生させることが出来る。このため、第８図から第９図に表されているように、オフセット印刷においてマトリクスポイント形状を習慣的に発生することが、そしてそのため一方では、分解能およびグレー一値グラデーションの理想的な関係が達成出来、そして他方においては、眼が見るようになじませる適応が達成される。
【００３２】
異なる別のハーフトーン値φを持ってマクロピクセルＭＡＫ１からＭＡＫ４においてマトリクス領域ＲＰを発生させるために、露光段階Ｈ０からＨ７に相当する露光段階を持つ露光錘ＵＭがマクロピクセルＭＡＫ１からＭＡＫ４（第８図）の中の個々のマイクロピクセルゾーンＭＩＫに発生される。バイアス電圧ＵＢは、この場合にはマトリクス領域ＲＰのインキング限界が、そしてそのためインキング領域それ自体がマイクロピクセルＭＡＫの露光を変化させることによって決められるような結果を得ることが出来るように前もって決められる。マイクロピクセルに、そして相応して３ビット露光グラデーション（第３図から第５図）に割り当てられた光エネルギーＨ０からＨ７は、第８図から第９図において明確にされる。オフセット印刷において習慣的であるように、異なるハーフトーン値を持つマトリクス領域形状ＲＰはそれらの結果として得られる。この場合には、第８図は約１０％のハーフトーン値φを持つマトリクスポイント形状を表し、第９図はφ＝３５％のハーフトーン値を持つマトリクスポイント形状またはマトリクス領域を表し、そして第１０図は約φ＝６０％のハーフトーン値を持つマトリクスポイント形状を表している。
【００３３】
実施例
本発明の実施例は、第１図、第１１図から第１４図を用いて以下により詳細に説明される。
【００３４】
これまで一般的に説明された電子写真印刷装置は、制御可能な光源ＤＫとして、個々に駆動可能な多数のＬＥＤを持つＬＥＤキャラクタジェネレータ（プリントヘッド）を含んでおり、各ＬＥＤはマイクロピクセルＭＩＫに割り当てられている。プリントヘッドに結合しているのは、マイクロプロセッサで制御される制御装置（第１１図）であり、これは基本的には印刷機ドライバ装置ＤＡおよび光源制御装置ＤＣを含んでいる。光源制御装置ＤＣ（第１図）は、プリントヘッド自身の中に集積されている。電位レリーフを安定化させる制御装置ＰＳＲは、光導電体Ｆに割り当てられた通常の構造型式の電位センサＰＳに接続されている。装置ＥＲは、電位レリーフＵＲのインキングを制御する。一方、最後に名前が挙げられた制御装置ＥＲは、現像ステーションＥおよび、トナー供給装置、トナー充満レベルセンサおよびバイアス電圧を制御する（例えば電圧レギュレータのような）装置ＢＩＡＳのようなそれの素子に接続されている。全体の装置は、印刷機の外部または内部に配置されているデータ処理装置ＤＶＡを通して駆動される。ＤＶＡは、各照明ポイント（マイクロピクセル）に関する出力されるべき露光強度Ｈ、および例えばデータワードのようなデータ信号の型式によって光導電体上の放射位置とに関する情報を供給する。
【００３５】
すべてのオープンループおよびクローズドループ制御装置が、分離されたμＰ−制御される装置または、それらが機械制御装置の構成部分となることが出来る装置、これは通常の方法における他の手段で構成され、そして記録用基板転送および固定を含み、電子写真印刷処理を制御する−としてのハードウェアの用途として設計されることが出来る。
【００３６】
ＤＶＡは印刷のために備えられた情報を、データ信号の型式で、パラレルな１６ビットインターフェイスを通して、プリンタ制御装置ＤＡに供給する。各照明ポイント（マイクロピクセル）に関する露光強度（光エネルギー／領域）は、数値（露光バイト）によってこの装置において指定される。この装置においては、露光バイトｉの幅は可能な明るさの段階の数を決定する。例えば、８露光段階（Ｈ０からＨ７）に関しては、露光バイトはｉ＝３ビットを含んでいる。
【００３７】
露光バイトは一時的にプリンタドライブ装置ＤＡにおけるｉメモリーバンク１０−１から１０−３に蓄積され、これは特別な印刷配線回路ボードとして設計される。露光バイトの各ビットに関して、メモリーバンク１０−１から１０−３が存在する。プリントヘッドを駆動するために、１６ビットワードがプリントヘッドドライブ装置内に配置されたマイクロコントローラ１１によって、ｉメモリーバンク１０−１から１０−３から、光源制御装置ＤＣ内に配置されたプリントヘッドコントローラ１２の電子回路に次々に伝送され、そしてそこでパラレル−シリアルコンバータ１３の１６ビットレジスタ内にバッファされる。パラレル−シリアルコンバータ１３は、ｉの１６ビットワードを幅ｉの６４露光バイトに変換し、それらは次にＩＣ−Ｂ回路１４／１から１４／ｎに次から次へと伝送される。
【００３８】
各ＩＣ／Ｂ回路１４／２から１４／ｎ−１は、その隣接するＩＣ−Ｂ回路１４／１から１４／ｎに接続され、ＬＥＤの同じ番号を持つＬＥＤのグループはどの場合でも各ＩＣ−Ｂに割り当てられている。それらのＬＥＤ１からＬＥＤ６４およびＬＥＤ６５からＬＥＤ１２８のそれぞれ個々のＬＥＤグループは、どの場合でも６４個のＬＥＤを含み、それらはどの場合でも１つのチップ上に互いに集積される。Ａ４用紙を横断的に印刷するために３００ドット／インチの印刷分解能においては、約ｎ＝３５００のＬＥＤがこの場合には必要となる。ＩＣ−Ｂの結合によって、ｎ×ｉのサイズのシフトレジスタが発生され、ｎは駆動されるべきＬＥＤの数を表し、そしてｉはメモリーバンク１０の数を表す。
【００３９】
ＩＣ−Ｂ回路１４／１から１４／ｎの構造は第１２図から知ることが出来る。それらはプリントヘッドコントローラ１２のマイクロプロセッサ制御される制御ロジック１５によって駆動され、そしてどの場合においてもＬＥＤグループ毎のＬＥＤの数に相当する６４のメモリロケーションを持つ１つのシフトレジスタ１６を含んでいる。加えて、スイッチング装置を持つ６４のバッファ１７、６４のプリセット可能なカウンタ１８および関連したバッファを持つ６４のディジタル−アナログコンバータ１９を含んでいる。６４のＬＥＤを駆動するために、関連するスイッチング装置を持つ電圧制御される電流限２０が備えられる。
【００４０】
ＩＣ−Ｂ回路は、２つのフェーズ、すなわちアップロードフェーズおよび印刷フェーズ、において動作する。アップロードフェーズにおいてはプリントヘッドはＬＥＤ等化情報を受け取り、これは実際にすべてのＬＥＤからの光の発散を等しくさせるもので、発散される光パワーの許容差は±３％よりも小さい。この等化情報は同様に露光バイトＢ１からＢ６４として符号化される。これは第ＥＰ−Ｂ１−０  ２７５  ２５４号において説明されているように、露光エネルギー補正装置を通して得られる。この等化を行うために、すべてのＬＥＤに関する等化露光バイトＢ１−Ｂｎは、プリントヘッドコントローラ１２によってシフトレジスタ１６の中で次々にシフトされる。各ＩＣ−Ｂ回路１４／１から１４／ｎの制御ロジックは引き続いて作用し、ＩＣ−Ｂが切り替わる（アップロード／印刷フェーズ切り替え）と共に、Ｂ１からＢ６４の６４バイトのバッファ１７への転送が行われ、これは印刷機がスイッチオフされるかまたはアップロードフェーズが再び実行されるまで等化値を蓄積する。バッファ１７はコンバータ１９の６４の個々のディジタル−アナログコンバータＤ１−Ｄ６４を制御し、これは各ＬＥＤのために特定の電位Ｖ１からＶ６４を発生し、これはそれぞれのＬＥＤ電流を、そしてこのため露光のレベルを決める。
【００４１】
また、マイクロピクセル線を印刷するために、すべてのイメージポイントに関する露光バイトＢ１からＢ６４が最初にＩＣ−Ｂシフトレジスタ１６内でシフトされる。それは引き続いて同時に、すべてのＩＣ−Ｂ回路１４／１から１４／ｎにおいて、どの場合においてもカウンタブロック１８の幅ｉの６４の前もって調節可能な個々のカウンタＺ１−Ｚ６４に転送され、個々のカウンタは個々のＬＥＤに割り当てられている。カウンタ１８は、すべて一緒にクロックされ、そしてカウントダウンされる。２つのクロックパルスの間の時間は、制御ロジック１５を通して供給される基本時間クロックによって決められる。こうして、カウンタ状態に関数として、スイッチオン時間Ｔ１からＴ６４がＳ１からＳ６４を通して電圧制御される電流源２０の各々に割り当てられる。カウンタ状態が０に等しくない場合においては、電流はＬＥＤ内を流れる。ゼロカウンタ状態の場合には、これはスイッチオフされる。既に説明された方法によって、カウント処理はＬＥＤ１−ＬＥＤ６４の発散継続時間を決める。個々のＬＥＤ電流Ｉ１からＩ６４の大きさは、アップロードフェーズにおいてプリセットされた、アナログコンバータ１９の電位Ｖ１からＶ６４によって固定されている。
【００４２】
こうして発生された露光強度分布は、ここでは示されていないセルフォック（セルフフォーカシング）光学装置を通して光導電体表面Ｆ上にイメージされる。
【００４３】
マイクロピクセル露光強度分布は、以下の方法において電子写真処理によって可視となる。
【００４４】
最初に、光導電体Ｆが一様に帯電され、この帯電電位は常に、習慣的な電位制御装置の助けによって、一定の電位値ＵＡ（第３図）とされる。
【００４５】
制御装置ＰＳＲによる露光電位制御が引き続いて実行される。ここでは、少なくとも１つの固定された露光が光導電体Ｆに加えられ、可能であれば帯電電位ＵＡを用いてマトリクス露光の形式でも行われ、そして全体的な電位値が電位プローブＰＳによって測定される。もし前もって決められたターゲット値ＵＺ（第１３図）が達成されていなければ、例えば駆動電流Ｉまたはスイッチング時間Ｔ、またはその両方のような、ＬＥＤプリントヘッドの基本的なパラメータが、測定された電位値がＵＺよりも大きい場合においては平均光発散が増加するように変化される。測定された電位値がＵＺよりも小さい場合においては、平均光発散が減少される。こうして、露光電位制御によって、使用されている光導電体の光導電体特性曲線への露光レベルの適応が実行される。この現在の光導電体特性曲線への平均露光強度ＨＭの適応は、第１３図から見ることが出来る。この場合においては、第１３図は異なる温度に関する２つの光導電体特性曲線の形状を示しており、光導電体特性曲線Ｋ２は、光導電体特性曲線Ｋ１の温度よりも大きな温度に割り当てられている。特性曲線Ｋ１に関して露光ターゲット値ＵＺを達成するために、露光強度ＨＭ１が調節されなければならず、そして特性曲線Ｋ２に関しては露光強度ＨＭ２が調節されなければならない。
【００４６】
露光制御のために、タイムベース値（基本時間クロック）またはプリントヘッドＬＥＤベース電流Ｉが、変化されるべきＬＥＤプリントヘッドの基本的なパラメータとして改善的な方法で用いられることが出来る。タイムベース制御を用いると、ＬＥＤのスイッチオン時間が比例的に変化される。ベース電流はＬＥＤ光パワーまたは露光レベルの基本的な値を決定する。露光の制御を形成する上で両方とも光導電体Ｆの平均感度を変移させ、そして光導電体特性曲線Ｋ１、Ｋ２の急峻さの変化がこうして配慮されるという利点を有している。
【００４７】
前に説明された段階によって、露光の基本値が、同じ電位値が常に特定の露光時間値を用いて発生されるように、光導電体の現在の特性曲線形状と整合する。こうして、例えば、温度および光導電体特性曲線および、光導電体帯電変動の周期的な影響が印刷されるイメージの側で補償されることができる。
【００４８】
前もって決められた許容差において、マトリクスが同じ電位レリーフを持つ場合、同じ電位値が特定の露光時間を生じさせるように露光のベース値が調節された後に、制御装置ＥＲの助けを得て、インキングを制御する段階が続く。
【００４９】
インキング制御は、第１４図を用いてさらに詳細に説明される。第１４図の表現は、グラフィカルに４つの象限を表しており、電子写真処理においては、習慣的な方法である。象限Ｉは現像特性曲線Ｅ１、Ｅ２およびＥ３の形状を示し、そしてそのため特に特性曲線Ｅ１に相当するφ＝１００％、特性曲線Ｅ２に相当するφ＝７０％、特性曲線Ｅ３に相当するφ＝５０％のインキングの種々の程度φに関する光導電体電位Ｕ上の光密度（濃度）Ｄの依存を示している。一方象限IIは処理特性曲線Ｐ１からＰ３の形状を表しており、そしてそのため１００％、７０％および５０％のインキングの相当する程度における露光強度Ｈ上の光密度Ｄの依存を表している。象限IIIにおいて示されるのは、第１３図の特性曲線に相当する、用いられている光導電体に割り当てられている光導電体特性曲線Ｋであり、そしてそのため露光強度Ｈの関数としての露光電位Ｕの依存を示している。象限IVは現像特性曲線Ｅ１からＥ３上の光導電体放電特性曲線Ｋ上に読み出されることが出来る電位値Ｕをグラフィックに転送する目的からスケールを変化させて表現したミラーイメージの直線を含んでいる。一点鎖線は特性曲線内に割り当てられるための可能性を説明するものである。こうして、現像特性曲線Ｅ上の関係する光密度ＤＸを持つ放電電位ＵＸは、露光強度ＨＸに、またはそれぞれ処理特性曲線Ｐ上の相当する光密度ＤＸに相当する。ＴＣは現像特性曲線Ｅの変化を、そしてトナー濃度の関数としての処理特性曲線Ｐを表している。
【００５０】
インキングを制御するために、マトリクス領域および、もし必要であれば、付加的にフルトーン領域が光導電体Ｆ上で露光され、そしてトナー沈積によって現像される。現像された光学的な実際の密度Ｄは、フルトーン領域に関して光学密度センサＤＳ（第１図）を通して測定され、そしてマトリクス領域に関する前もって決められることの出来る露光ターゲット値（光学密度、望ましい密度）と比較される。露光ターゲット値（望ましい値）からの偏りの大きさによって、１つまたはそれ以上の基本的な現像処理の変数が変化させられる。第１４図から理解出来るように、現像特性曲線Ｅの、そして処理特性曲線Ｐの急峻さ（グラデーション）はトナー濃度ＴＣを増加させることによって増加させることが出来る。バイアス電位ＵＢを変化させることにより、現像特性曲線Ｅまたは処理特性曲線Ｐが横座標に沿った方法で平行に移動（点ＤＸの移動）することが出来る。補正に関する必要によって、ターゲット特性曲線組み合わせ（マトリクス特性曲線および、もし必要であればフルトーン特性曲線）がトナー濃度ＴＣを変化させることにより、および／またはバイアス電位ＵＢを変化させることにより、調節することが出来る。
【００５１】
露光電位制御およびインキング制御は、同じ露光および測定用領域が両方の制御装置のために用いられるような方法で互いに組み合わせられることが可能である。露光電位値が最初に測定されるので、前記露光電位値がターゲット範囲にある場合には、同じインキング制御を用いて同じサイクルでスタートすることが可能である。インキングターゲット値に達した後、印刷処理をスタートさせることが可能である。帯電電位ＵＡ、露光電位（露光ターゲット値ＵＺ）マトリクス領域およびフルトーン領域ＤＲに関する光学密度に関するターゲット値の維持は、印刷中に周期的にモニタされ、そして必要であれば再調節される。モニタリングおよび制御処理は機械制御装置によって制御されて自動的に実行されることが出来る。
【００５２】
第６図および第７図と関連して既に説明されたように、ＬＥＤの特性依存駆動によって、異なるマイクロピクセル露光強度分布を持つマイクロピクセル露光錘ＵＭが発生され、マクロピクセル内に結果的な電位トラフＵＲまたは電位レリーフを生じさせる。トナーは、その露光電位がバイアス電圧ＵＢよりも小さなマクロピクセルの領域上のみに沈積される。こうして、バイアスレベルＵＢと電位トラフＵＲまたは電位レリーフの交差線ＡＤはインキング限界ＥＧを特定する。これは、中央マイクロピクセルの露光強度が一定に保たれているとしても、隣接マイクロピクセルにおける露光強度のステップ状変化によって、第６図および第７図の表現を比較することから理解されるように微細なステップによって変化させることが可能である。このグラデーションは、「よりソフト」であり、幾何学的にオーバーラップする隣接マイクロピクセルの光エネルギー分布を多くすれば、マイクロピクセル毎の露光段階が規定された方法でより調節されることが出来る。
【００５３】
説明されている実施例の場合には、光導電体Ｆは、帯電用装置Ｌの助けによって露光処理の前に帯電され、そして露光装置ＤＫを通して放電される。しかし同じ原理はまた放電された光導電体が露光装置ＤＫの助けによってキャラクタの関数として帯電されるような電子写真処理にも適用することが出来る。両方とも強度制御されたレーザービームおよび説明されたＬＥＤコームが露光装置ＤＫのために使用されることが出来る。レーザーダイオードおよびその他のような他の強度依存性の制御可能な光源の使用もまた可能である。
【００５４】
マクロ帯電ゾーンのインキングにおいては、トナー沈積が正確な静電インキング限界から偏ることが証明されている。これらの偏りは最も多くの用紙を含む最終イメージ構造へのトナー転写処理によって、そしてトナーイメージの固定によって増幅される。いくらかの場合においては、これは前もって決められたターゲット特性曲線組み合わせ（フルトーン領域、マトリクス領域および線に関する密度曲線）を達成するために、露光値およびインキング特性曲線の経験的な等化を必要とする。
【図面の簡単な説明】
【図１】関連する駆動装置を持つ電子写真印刷装置の概略図である。
【図２】９つのマイクロピクセルからなるマクロピクセルの概略図である。
【図３】３ビット露光グラデーションの場合における露光強度の関数としての光導電体上の放電電位を表す図である。
【図４】３ビット露光グラデーションの場合における１つのマイクロピクセルに関する露光強度プロフィールを表す図である。
【図５】IIIビット露光グラデーションの場合におけるマイクロピクセルに関する電位レリーフを表す図である。
【図６】露光のマイクロピクセルによる電位トラフの発生の断面図である。
【図７】露光のマイクロピクセルによる電位トラフの発生の断面図である。
【図８】約１０％のハーフトーン値を持つマクロピクセルにおいて発生されることが出来るオフセット状マトリクス形状の概略図である。
【図９】３５％のハーフトーンを持つ同じマクロピクセルにおいて発生されることが出来るオフセット状マトリクス形状の概略図である。
【図１０】６０％のハーフトーン値を持つ同じマクロピクセルにおいて発生されることが出来るオフセット状マトリクス形状の概略図である。
【図１１】ＬＥＤコームに関するプリントヘッドドライバの概略ブロック回路図である。
【図１２】第１１図のプリントヘッドドライバにおいて用いられるＩＣ−Ｂ（集積回路モジュール）の構成の概略図である。
【図１３】現在の光導電体特性曲線への平均露光強度の適用による露光制御の概略図である。
【図１４】インキング制御の概略的な４象限を表す図である。
【符号の説明】
Ｆ  光導電体ドラム
ＤＫ  露光装置、ＬＥＤストライププリントヘッド
Ｅ  現像ステーション
ＵＤＳ  転写印刷ステーション
ＡＴ  記録用基板、連続紙
Ｒ  クリーニングステーション
Ｌ  帯電装置
ＭＡＫ，ＭＡＫ１からＭＡＫ４  マクロピクセル
ＭＩＫ  マイクロピクセル
Ｈ０からＨ７，Ｈ，ＨＸ  露光強度、光エネルギー／領域、露光段階
Ｕ０からＵ７，Ｕ，ＵＸ  光導電体電位レベル、放電電位
ＵＡ  光導電体帯電電位
ＵＢ  バイアス電圧レベル、バイアス電圧
ＵＭ  マイクロピクセル露光錘、マイクロ帯電ゾーン
Ｘ  距離
ＥＧ  インキング限界
ＡＤ  インキづけられる領域の境界線、交差の平面、交差線
ＵＲ  結果的な電位トラフ、電位レリーフ、マクロ帯電ゾーン
ＲＰ  マトリクスポイント形状、インキング領域、マトリクス領域
ＬＥＤ１からＬＥＤｎ  発光ダイオード
ＤＡ  プリンタ駆動装置
ＤＣ  光源制御装置
ＰＳＲ  制御装置安定化電位レリーフまたは帯電電位、露光電位制御
ＰＳ  電位センサー
ＤＳ  密度センサー、光学
ＥＲ  電位レリーフの付着（インキングを制御する装置
ＢＩＡＳ  バイアス電圧を制御する装置、電圧安定器
ＤＶＡ  データ処理装置、コンピュータ制御された装置
１０／１から１０／３  メモリーバンク、メモリー
１１  マイクロコントローラ
１２  プリントヘッドコントローラ
１３  レジスタを持つパラレル−シリアルコンバータ
１４／１から１４／ｎ  ＩＣ−Ｂ回路
１５  マイクロプロセッサ制御された制御ロジック
１６  シフトレジスタ、メモリー
１７  スイッチを持つバッファ
１８  前調節可能なカウンタ、カウンタブロック
１９  ディジタル−アナログコンバータ、電圧発生用装置
Ｄ１−Ｄ６４  ディジタル−アナログコンバータ１９の個々のコンバータ
２０  スイッチを持つ電圧制御された電流源
Ｂ１−Ｂ６４  露光バイト
Ｖ１−Ｖ６４  駆動電位、電位
Ｓ１−Ｓ６４  電圧制御された電流源のスイッチ
Ｚ１−Ｚ６４  カウンタブロック１８における個々のカウンタ
Ｔ１−Ｔ６４  カウンタ１８の実行時間、スイッチオン時間
Ｉ１−Ｉ６４  ＬＥＤ励起電流
Ｋ１、Ｋ２  光導電体特性曲線
ＨＭ１−ＨＭ２  平均露光強度、特性曲線Ｋ１、Ｋ２
ＵＺ  望ましい電位
Ｅ１−Ｅ３  現像特性曲線
Ｄ、ＤＸ光学密度（濃度）
Ｐ１−Ｐ３、Ｐ  処理特性曲線
ＴＣ  トナー濃度
【図１】
0003930557.tif 000002
【図２】
0003930557.tif 000003
【図３】
0003930557.tif 000004
【図４】
0003930557.tif 000005
【図５】
0003930557.tif 000006
【図６】
0003930557.tif 000007
【図７】
0003930557.tif 000008
【図８】
0003930557.tif 000009
【図９】
0003930557.tif 000010
【図１０】
0003930557.tif 000011
【図１１】
0003930557.tif 000012
【図１２】
0003930557.tif 000013
【図１３】
0003930557.tif 000014
【図１４】
0003930557.tif 000015